(57)【要約】      （修正有）【課題】ムーブメントの３本の針を分離させると構造が複雑になり、価格が高くなるという問題を改善する時計用ムーブメントを提供する。【解決手段】スモールセコンド動力装置１０を含む時計用ムーブメントであって、該スモールセコンド動力装置上にはセパレータ２０が設置され、かつ該セパレータ上には、時計測ユニット３０及び駆動歯車４０が設置され、該セパレータ上をカバープレートが被覆しており、該スモールセコンド動力装置は、独立して配置された秒計測ユニット１３及び分計測ユニット１４を有し、かつ該分計測ユニットは該駆動歯車を介して該時計測ユニットを動かしており、該セパレータの設置により、該スモールセコンド動力装置と該時計測ユニット、駆動歯車を仕切ることができるので、該時計測ユニット及び駆動歯車の該スモールセコンド動力装置の構造部品配置に対する影響を軽減し、該駆動歯車と嵌合して該分計測ユニットが該時計測ユニットをスムーズに動かせるようにする。【選択図】図２
0003217670.tif 000002
【実用新案登録請求の範囲】
【請求項１】
動力モジュールと、秒計測ユニットと、分計測ユニットとが設置されたベースを含み、該秒計測ユニット及び該分計測ユニットがいずれも連結され、かつ該動力モジュールに制御されているスモールセコンド動力装置と、
該ベース上に設置され、その頂面に秒計測ユニットに対応する第１ホールと、分計測ユニットに対応する第２ホールと、駆動取付溝と、時計測取付溝とが設置され、該駆動取付溝は該第２ホールと連通し、該時計測取付溝が該駆動取付溝と連通しているセパレータであって、該駆動取付溝を介して該第２ホールと連通しており、該秒計測ユニットが該第１ホールから伸出し、該分計測ユニットが該第２ホールから伸出しているセパレータと、
該セパレータの時計測取付溝に設置された時計測ユニットと、
該セパレータの駆動取付溝に設置され、該分計測ユニット及び該時計測ユニットと噛合し、連結されている駆動歯車と、
該ベース上に設置され、かつ該セパレータを被覆しているカバープレートであって、該秒計測ユニット、該分計測ユニット及び該時計測ユニットがいずれも該カバープレートから伸出しているカバープレートと、を含む、
時計用ムーブメント。
【請求項２】
該分計測ユニットは、分針軸と、分針輪と、分針を含み、該分針軸は該ベース上に回転可能に設置され、かつ該セパレータ及び該カバープレートから伸出しており、該分針輪は該分針軸に被せるように取り付けられ、かつ該分針輪は該セパレータの第２ホールに位置し、該動力モジュールと該駆動歯車を連結しており、該分針は該分針軸の末端に設置され、かつ該カバープレート上に位置している、請求項１に記載の時計用ムーブメント。
【請求項３】
該分針軸が該時計用ムーブメントの中央部分に位置している、請求項２に記載の時計用ムーブメント。
【請求項４】
該分針輪の外径が該駆動歯車の外径より大きい、請求項２に記載の時計用ムーブメント。
【請求項５】
該分針輪の外径が該駆動歯車の外径より大きい、請求項３に記載の時計用ムーブメント。
【請求項６】
該時計測ユニットは、時針軸と、時針輪と、時針とを含み、該時針軸は該セパレータの時計測取付溝に回転可能に設けられ、かつ該時針軸は該カバープレートから伸出しており、該時針輪は該時針軸に被せるように取り付けられており、該時針輪は該セパレータの時計測取付溝に位置し、かつ該駆動歯車と噛合して連結されており、該時針は該時針軸の末端に設置され、かつ該カバープレート上に位置している、請求項１〜５のいずれか１項に記載の時計用ムーブメント。
【請求項７】
該時針輪の外径が該駆動歯車の外径より大きい、請求項６に記載の時計用ムーブメント。
【考案の詳細な説明】
【技術分野】
【０００１】
本考案は、時計用ムーブメント、特に駆動構造が簡略化された時計用ムーブメントである。
【背景技術】
【０００２】
文字盤のレイアウト形式において、時針、分針及び秒針を同軸に設置する文字盤形式は「三針」（センターセコンド）と呼ばれ、時針と分針を同軸に設置し、秒針を独立して設置する文字盤形式は「小三針」、「二針半」または「小秒針」（「スモールセコンド」）と呼ばれ、時針、分針及び秒針をすべて別々に動かすレイアウト形式は「レギュレータ」と呼ばれており、時針、分針及び秒針が独立して配置され、かつ３本の針が一直線を呈する場合、この形式はさらに「三針一線」と呼ばれる。
【０００３】
現在の文字盤レイアウトでは、三針の文字盤形式が最もよく見られ、スモールセコンド及びレギュレータの文字盤形式は比較的少なく、３本の針が独立したムーブメントを採用する場合、３本の針を独立させるという目的を果たすためには、採用する構造がスモールセコンド文字盤形式のムーブメントの構造より複雑なので、３本の針が独立したムーブメントには、構造が複雑であるという問題と、販売価格が高くなるという問題が生じる。
【考案の概要】
【０００４】
本考案の主な目的は、時計用ムーブメントを提供することにより、ムーブメントの３本の針を分離させると構造が複雑になり、価格が高くなるという問題を改善することにある。
【０００５】
前述の目的を達成するために、本考案の時計用ムーブメントは、
動力モジュールと、秒計測ユニットと、分計測ユニットとが設置されたベースを含み、該秒計測ユニット及び該分計測ユニットがすべて連結され、かつ該動力モジュールに制御されているスモールセコンド動力装置と、
該ベース上に設置され、その頂面に秒計測ユニットに対応する第１ホールと、分計測ユニットに対応する第２ホールと、駆動取付溝と、時（時間）計測取付溝とが設置され、該駆動取付溝が該第２ホールと連通し、該時計測取付溝が該駆動取付溝と連通しているセパレータであって、該駆動取付溝を介して該第２ホールと連通し、該秒計測ユニットが該第１ホールから伸出し、該分計測ユニットが該第２ホールから伸出しているセパレータと、
該セパレータの時計測取付溝に設置された時計測ユニットと、
該セパレータの駆動取付溝に設置され、該分計測ユニット及び該時計測ユニットと噛合し、連結されている駆動歯車と、
該ベース上に設置され、かつ該セパレータを被覆しているカバープレートであって、該秒計測ユニット、該分計測ユニット及び該時計測ユニットがいずれも該カバープレートから伸出しているカバープレートと、を含む。
【０００６】
上記において、該時計用ムーブメントは該スモールセコンド動力装置を採用し、該秒計測ユニット及び該分計測ユニットを独立して配置し、該セパレータが該駆動歯車を設置するための該駆動取付溝を提供し、かつ該時計測ユニットを設置するための該時計測取付溝を提供し、該セパレータによる隔離によって、該駆動歯車及び該時計測ユニットの設置が該スモールセコンド動力装置内の構成部品の配置に影響しないようにするとともに、該時計測ユニットと該分計測ユニットを独立して設置することができ、また該分計測ユニットは該駆動歯車を介して該時計測ユニットを動かすことができるので、該時計用ムーブメントは、セパレータ、駆動歯車という簡単な構造配置によって、該スモールセコンド動力装置上に３本の針が独立した文字盤形式を完成させ、それにより価格を抑えることができるものである。
【図面の簡単な説明】
【０００７】
【図１】図１は、本考案の時計用ムーブメントの好適な実施例におけるセパレータをスモールセコンド動力装置に組み付けた平面概略図である。
【図２】図２は、図１に分計測ユニット、時計測ユニット、駆動歯車を設置した俯瞰平面概略図である。
【図３】図３は、図２にカバープレートを設置した平面概略図である。
【図４】図４は、図３のＡ−Ａ分割線の部分断面概略図である。
【図５】図５は、本考案の時計用ムーブメントの好適な実施例の平面概略図である。
【考案を実施するための形態】
【０００８】
図２、図４及び図５は、本考案の時計用ムーブメントの好適な実施例であり、スモールセコンド動力装置１０と、セパレータ２０と、時計測ユニット３０と、駆動歯車４０と、カバープレート５０とを含む。
【０００９】
図１、図２に示すように、該スモールセコンド動力装置１０は、動力モジュール１２と、秒計測ユニット１３と、分計測ユニット１４とが設置されたベース１１を含み、該秒計測ユニット１３及び該分計測ユニット１４はいずれも連結され、かつ該動力モジュール１２に制御されており、図４に示すように、該秒計測ユニット１３及び該分計測ユニット１４は独立して配置されており、即ち、該秒計測ユニット１３と該分計測ユニット１４は非同軸配置となっている。
【００１０】
図１、図２及び図４のように、該セパレータ２０は該ベース１１上に設置されており、該セパレータ２０の頂面には、秒計測ユニット１３に対応する第１ホール２１と、分計測ユニット１４に対応する第２ホール２２と、駆動取付溝２３と、時計測取付溝２４とが設置され、該駆動取付溝２３は該第２ホール２２と連通しており、該時計測取付溝２４は該駆動取付溝２３と連通し、かつ該駆動取付溝２３を介して該第２ホール２２と連通しており、該時計測ユニット１３は該第１ホール２１から伸出し、該分計測ユニット１４は該第２ホール２２から伸出している。
【００１１】
該時計測ユニット３０は、該セパレータ２０の時計測取付溝２４に設置されており、そのうち、該分計測ユニット１４は該時計測ユニット３０と該秒計測ユニット１３との間に位置している。
【００１２】
該駆動歯車４０は、該セパレータ２０の駆動取付溝２３に設置され、該駆動歯車４０は該分計測ユニット１４及び該時計測ユニット３０と噛合し、連結されている。
【００１３】
図３、図４に示すように、該カバープレート５０は該ベース１１上に設置され、かつ該セパレータ２０を被覆しており、該秒計測ユニット１３、該分計測ユニット１４及び該時計測ユニット３０がいずれも該カバープレート５０から伸出している。
【００１４】
図４、図５に示すように、該分計測ユニット１４は、分針軸１５と、分針輪１６と、分針１７とを含み、該分針軸１５は該ベース１１上に回転可能に設置され、かつ該セパレータ２０及び該カバープレート５０から伸出しており、該分針輪１６は該分針軸１５に被せるように取り付けられ、かつ該分針輪１６は該セパレータ２０の第２ホール２２に位置し、該動力モジュール１２と該駆動歯車４０を連結しており、該分針１７は該分針軸１５の末端に設置され、かつ該カバープレート５０上に位置しており、また、該秒計測ユニット１３は、秒針軸１８と、秒針輪（図中未表示）と、秒針１９とを含み、該秒針軸１８は該ベース１１上に回転可能に設置され、かつ該セパレータ２０及び該カバープレート５０から伸出しており、該秒針輪は該秒針軸１８に被せるように取り付けられ、かつ該動力モジュール１２と連結されており、該秒針１９は該秒針軸１８の末端に設置され、かつ該カバープレート５０上に位置しており、そのうち、該分針軸１５は該時計用ムーブメントの中央部分に位置し、該分針輪１６の外径は該駆動歯車４０の外径より大きい。
【００１５】
図４、図５に示すように、該時計測ユニット３０は、時針軸３１と、時針輪３２と、時針３３とを含み、該時針軸３１は該セパレータ２０の時計測取付溝２４に回転可能に設けられ、かつ該時針軸３１は該カバープレート５０から伸出しており、該時針輪３２は該時針軸３１に被せるように取り付けられており、該時針輪３２は該セパレータ２０の時計測取付溝２４に位置し、かつ該駆動歯車４０と噛合して連結されており、該時針３３は該時針軸３１の末端に設置され、かつ該カバープレート５０上に位置しており、図２に示すように、該時針輪３２の外径は該駆動歯車４０の外径より大きく、また、該分針輪１６の外径は該時針輪３２の外径よりさらに大きく、該分針軸１５と該秒針軸１８を線で結んで第１線を形成し、該時針軸３１と該分針軸１５を線で結んで第２線を形成し、該第１線が該第２線と交わると、３本の針は一直線ではない形態を体現し、また該第１線と該第２線が突き合わされると、３本の針が一直線になる形態を体現する。
【００１６】
上記において、該時計用ムーブメントは、時計用ケース内に配置し、透明カバーを取り付け、かつ該時計用ケースにバンドを取り付けて、身に付けることができる腕時計として組み立てることができる。
【００１７】
また、該時計用ムーブメントを組み立てる際には、該スモールセコンド動力装置１０に既存のスモールセコンドムーブメントの動力装置を採用することもできる。即ち、該秒計測ユニット１３と該分計測ユニット１４を同軸配置にしないことで、スモールセコンドムーブメントを改良するということであり、採用するスモールセコンドムーブメントの型番はＭｉｙｏｔａ８２４５やＭｉｙｏｔａ８２１８であってよく、さらに、該セパレータ２０を該スモールセコンド動力装置１０上に設置し、該時計測ユニット３０の時針輪３０、時針軸３１及び該駆動歯車４０を該セパレータ２０上に設置することで、該時計測ユニット３０及び駆動歯車４０の設置が該スモールセコンド動力装置１０内の構成部品の配置に影響することがなく、続いて該カバープレート５０を被せ、時針３３、分針１７及び秒針１９を設置する。
【００１８】
そのうち、該スモールセコンド動力装置１０の動力モジュール１２は、該秒計測ユニット１３及び該分計測ユニット１４を動かすことができ、該分計測ユニット１４の分針輪１６が回転すると、該分針輪１６が、噛合している駆動歯車４０を介して該時計測ユニット３０の時針輪３２を動かし、それにより該時針軸３１と該時針３３の回転が促される。
【００１９】
以上のように、該時計用ムーブメントが該スモールセコンド動力装置１０を採用した場合、該セパレータ２０の配置により、該スモールセコンド動力装置１０と該時計測ユニット３０及び駆動歯車４０が分離されるので、該スモールセコンド動力装置１０の構成部品の配置が該時計測ユニット３０、駆動歯車４０の干渉を受けず、該時計測ユニット３０と該駆動歯車４０を組み立てる際の利便性を増すことができ、また、該駆動歯車４０の配置により、分計測ユニット１４と時計測ユニット３０を有効に独立して設置できるだけでなく、該分計測ユニット１４によって該時計測ユニット３０を動かすことができる。そのため、該時計用ムーブメントに該スモールセコンド動力装置１０、セパレータ２０及び駆動歯車４０を採用すると、３本の針が独立した文字盤形式を完成させ、しかも構造が簡単で、組立及び価格の抑制に役立つメリットを有することになる。
【符号の説明】
【００２０】
１０  スモールセコンド動力装置    １１  ベース
１２  動力モジュール    １３  秒計測ユニット
１４  分計測ユニット    １５  分針軸
１６  分針輪    １７  分針
１８  秒針軸    １９秒針輪
２０  セパレータ    ２１  第１ホール
２２  第２ホール    ２３  駆動取付溝
２４  時計測取付溝    ３０  時計測ユニット
３１  時針軸    ３２  時針輪
３３  時針    ４０  駆動歯車
５０  カバープレート
【図１】
0003217670.tif 000003
【図２】
0003217670.tif 000004
【図３】
0003217670.tif 000005
【図４】
0003217670.tif 000006
【図５】
0003217670.tif 000007